(57)【要約】      （修正有）【課題】バリアングル表示部を利用した特殊なアングルにおける撮影状態においても操作性のよい撮像装置を提供する。【解決手段】本体部１０１に回動可能に接続された表示部３００と、表示部の位置を検出する位置検出手段と、本体部１０１上面に設けられた操作部５０１〜５０５と、表示部に重なるようにタッチパネル３０３を備えた撮像装置１００において、表示部３００が位置検出手段において本体部１０１に対して略下方向を向いていると検出された場合は、本体部１０１の上面に設けられた操作部５０１〜５０５に相当するアイコン７０１〜７０５を表示部３００に表示し、タッチパネルによってアイコンの操作が検出されたときに操作部５０１〜５０５に対応する制御をする制御手段を有する。【選択図】図１
2017085205.tif 000002
【特許請求の範囲】
【請求項１】
本体部（１０１）に回動可能に接続された表示部（３００、３０２）と、
前記表示部（３００、３０２）の位置を検出する位置検出手段（４００、４０１）と、前記本体部（１０１）上面に設けられた操作部（５００番台）と、表示部（３００、３０２）に重なるようにタッチパネル（３０３）を備えた撮像装置（１００）において、前記表示部（３００、３０２）が、前記位置検出手段（４００、４０１）において前記本体部（１０１）に対して下方向を向いていると検出された場合は、
前記本体部（１０１）の上面に設けられた前記操作部（５００番台）に相当するアイコン（７００番台）を前記表示部（３００、３０２）に表示し、前記タッチパネル（３０３）によって前記アイコン（７００番台）の操作が検出されたときに、前記操作部（５００番台）に対応する制御をする制御手段（１０７）を有することを特徴とする撮像装置（１００）。
【請求項２】
本体部（１０１）に回動可能に接続された表示部（３００、３０２）と、
前記表示部（３００、３０２）の位置を検出する位置検出手段（４００、４０１）と、
前記本体部（１０１）背面に設けられた操作部（５００番台）と、表示部（３００、３０２）に重なるようにタッチパネル（３０３）を備えた撮像装置（１００）において、
前記表示部（３００．３０２）が、前記位置検出手段（４００、４０１）において前記本体部（１０１）に対して上方向或いは前方向を向いていると検出された場合は、
前記本体部（１０１）背面に設けられた前記操作部（５００番台）に相当するアイコン（７００番台）を前記表示部（３００、３０２）に表示し、前記タッチパネル（３０３）によって前記アイコン（７００番台）の操作が検出されたときに、前記操作部（５００番台）に対応する制御をする制御手段（１０７）を有することを特徴とする撮像装置（１００）。
【請求項３】
前記表示部（３００、３０２）に表示するアイコン（７００番台）の配置は、対応する前記操作部（５００番台）の前記本体部（１０１）における配置に準じていることを特徴とする請求項１又は請求項２に記載の撮像装置（１００）。
【請求項４】
前記操作部（５００番台）はダイヤルの回転操作可能な操作部（５０２、５０３、５０４、５０５、５０７）を含んでいることを特徴とする請求項１乃至請求項３の何れか一項に記載の撮像装置（１００）。
【請求項５】
前記表示部（３００、３０２）に表示する前記アイコン（７００番台）は前記撮像装置（１０１）の撮影時のパラメータの変更に対応するものであることを特徴とする請求項１乃至請求項４の何れか一項に記載の撮像装置（１００）。
【請求項６】
前記表示部（３００、３０２）に表示する前記アイコン（７００番台）は半透過画像（７０７、７０９、７１０）として表示することを特徴とする請求項１乃至請求項５の何れか一項に記載の撮像装置（１００）。
【請求項７】
前記撮像装置（１００）は主被写体（６０１）を検出する主被写体検出手段（１０８）を備え、前記表示部（３００、３０２）において、前記主被写体検出手段（１０８）により検出された記前主被写体（６０１）が表示されている領域以外の領域に前記アイコン（７０１〜７０５）を表示することを特徴とする請求項１乃至請求項６の何れか一項に記載の撮像装置（１００）。
【請求項８】
前記タッチパネル（３０３）によって接触が検出されたときに、前記アイコン（７０７、７０９、７１０）を前記表示部（３００、３０２）に表示することを特徴とする請求項１乃至請求項７の何れか一項に記載の撮像装置（１００）。
【発明の詳細な説明】
【技術分野】
【０００１】
本発明は、デジタルカメラあるいはデジタルビデオカメラ等の撮像装置に関し、特に、開閉動作及び回転動作可能な表示部を備えた撮像装置に関する。
【背景技術】
【０００２】
デジタルカメラやデジタルビデオカメラ等の撮像装置では、子供の運動会やペットの撮影など色々な撮影シーンに対するニーズがある。そのニーズに応える一つの方法として、液晶ディスプレイ等の表示部を有する表示ユニットを撮像装置本体に対して開閉可能に支持し、さらに、表示ユニットを開状態で回転可能に支持することが広く知られている。この方法によりハイアングルやローアングルなど様々な角度での撮影時にも、表示部を用いて撮影画角の確認を容易に行うことを可能にしている。
【０００３】
特許文献１には、撮像された画像を表示する液晶ディスプレイを、デジタルカメラ本体に対して回動可能に取り付けられたデジタルカメラが開示されている。このカメラでは、液晶ディスプレイの回動角度がセンサにより検出される。そして、回動角度が上下方向または左右方向に例えば９０度以上になると、画面が上下または左右反転することで、自分撮り撮影などの撮影シーンへの適用性を提案している。
【先行技術文献】
【特許文献】
【０００４】
【特許文献１】特開平９−２３３６０号公報
【発明の概要】
【発明が解決しようとする課題】
【０００５】
しかしながら、特許文献１のようにデジタルカメラ本体に対して回動可能に取り付けられた液晶ディスプレイを利用して、例えば前にいる人の頭越しに被写体を撮影する場合には、図４のように腕を上方に伸ばして、デジタルカメラ本体を高い位置に配置して被写体に向け、デジタルカメラ本体に対して液晶ディスプレイを開いて下側に回転させ、表示部を撮影者側に向けて撮影する。この時、回動可能な液晶ディスプレイは見やすい位置に自在に向けることができるが、デジタルカメラ本体上面に配置された操作部材は撮影者からは死角となり、被写体を液晶ディスプレイで確認しながら、死角となる本体上面に配置された操作部材を操作することは容易ではない。
【０００６】
また一方、犬や猫などのペットや小さい子供を撮影する際には、図６のようにペットや子供の目線とカメラの高さを合わせる為、デジタルカメラ本体を低い位置に配置して被写体に向け、デジタルカメラ本体に対して液晶ディスプレイを開いて上側に回動させて、表示部を撮影者側に向けて撮影する。この時、回動可能な液晶ディスプレイは見やすい位置に自在に向けることができるが、デジタルカメラ本体背面に配置された操作部材は撮影者からは死角となり、被写体を液晶ディスプレイで確認しながら、死角となる本体背面に配置された操作部材を操作することは容易ではない。
【課題を解決するための手段】
【０００７】
上記の課題を解決するために、本発明に係る撮像装置は、本体部に回動可能に接続された表示部と、前記表示部の位置を検出する位置検出手段と、前記本体部上面に設けられた操作部と、表示部に重なるようにタッチパネルを備えた撮像装置において、前記表示部が、前記位置検出手段において前記本体部に対して略下方向を向いていると検出された場合は、前記本体部の上面に設けられた前記操作部に相当するアイコンを前記表示部に表示し、前記タッチパネルによって前記アイコンの操作が検出されたときに、前記操作部に対応する制御をする制御手段を有することを特徴とする。
【０００８】
また、本発明に係る撮像装置は、
本体部に回動可能に接続された表示部と、前記表示部の位置を検出する位置検出手段と、前記本体部背面に設けられた操作部と、表示部に重なるようにタッチパネルを備えた撮像装置において、前記表示部が、前記位置検出手段において前記本体部に対して略上方向或いは略前方向を向いていると検出された場合は、前記本体部背面に設けられた前記操作部に相当するアイコンを前記表示部に表示し、前記タッチパネルによって前記アイコンの操作が検出されたときに、前記操作部に対応する制御をする制御手段を有することを特徴とする。
【発明の効果】
【０００９】
本発明に係る撮像装置によれば、手を上方向あるいは下方向に伸ばしてカメラ本体を支えるような状況での撮影においてでも、被写体を液晶ディスプレイで確認しながら、撮影者から死角となる本体上面あるいは背面に配置された操作部材を容易に操作することが可能になる。
【図面の簡単な説明】
【００１０】
【図１】本発明の第１の実施形態であるデジタルカメラの外観図であり、（ａ）は背面図、（ｂ）は下面図
【図２】本発明の第１の実施形態であるデジタルカメラの外観図であり、（ａ）は正面から見た斜視図、（ｂ）は背面から見た斜視図
【図３】本発明の第１の実施形態であるデジタルカメラのブロック図
【図４】本発明の第１の実施形態であるデジタルカメラを使用する様子を示した図
【図５】本発明の第１の実施形態であるデジタルカメラのフローチャート図
【図６】本発明の第２の実施形態のデジタルカメラを使用する様子を示した図
【図７】本発明の第２の実施形態であるデジタルカメラの外観図であり、（ａ）は上面図、（ｂ）は背面図
【図８】本発明の第２の実施形態であるデジタルカメラのフローチャート図
【図９】本発明の第３の実施形態のデジタルカメラを使用する様子を示した図
【図１０】本発明の第３の実施形態であるデジタルカメラの外観図であり、（ａ）は表示部にアイコンが表示されていない場合の正面図、（ｂ）は表示部にアイコンが表示されている場合の正面図
【図１１】本発明の第３の実施形態であるデジタルカメラのフローチャート図
【発明を実施するための形態】
【００１１】
以下に、本発明の好ましい実施の形態を、添付の図面に基づいて詳細に説明する。
【００１２】
［実施例１］
図１は本発明の第１の実施形態であるデジタルカメラの外観図であり、図１（ａ）は背面図、図１（ｂ）は下面図である。図２は図１に示すデジタルカメラの外観図であり、図２（ａ）は正面から見た斜視図、図２（ｂ）は背面から見た斜視図である。図３は図１に示すデジタルカメラのブロック図である。
【００１３】
図４は図１に示すデジタルカメラを使用する様子を示した図であり、腕を上方に伸ばして、デジタルカメラ本体を高い位置に配置して被写体に向け、デジタルカメラ本体に対して表示ユニットを開いて下側に回転させ、表示部を撮影者側に向けて撮影している様子を示している。図２、図３において、デジタルカメラ１００は本体部１０１の前面に、撮影レンズ２００が取り付けられており、この撮影レンズ２００を介して被写体像が取り込まれる。
【００１４】
本体部１０１の背面には、表示ユニット３００がヒンジ３０１を介してＡ軸を中心として縦方向に、回動可能に、Ｂ軸を中心として横方向に開閉可能に取り付けられている。この表示ユニット３００の表示部３０２には撮影している画像が表示され、撮影時に画角を確認するファインダとして用いることができる。また、表示部３０２には、再生画面が表示され、撮影した画像を確認することができる。表示ユニット３００を開閉、回動させることにより、使用環境に合わせて、自由な角度で表示ユニット３００を保持できる。
【００１５】
例えば、表示ユニット３００を縦方向に略１８０度回動させれば、カメラの正面側から表示部３０２を見ることができるようになり、表示部３０２の画像を見ながら、容易に自分自身を撮影するようなことができる。本発明のデジタルカメラには、Ａ軸を中心とした縦方向の回動角度を検出するセンサ４００及びＢ軸を中心とした横方向の開閉角度を検出するセンサ４０１が設けられている。このセンサ４００及びセンサ４０１により、本体部１０１に対する表示ユニット３００の回動角度及び本体部１０１に対する表示ユニット３００の表示部３０２の開閉角度が検出される。
【００１６】
本体部１０１の上面および背面にはデジタルカメラ１００の各種操作を行うための操作部材が備えられている。具体的には、上面には、シャッターボタン５０１が取り付けられると共に、撮影モードを変更するモード変更ダイヤル５０２、露出を変更する露出ダイヤル５０３、ＩＳＯ感度を変更するＩＳＯダイヤル５０４、ズーム倍率を変更するズームレバー５０５、電源のオンとオフを切り替える電源ボタン５０６が設けられている。
【００１７】
ズームレバー５０５のつまみ部５０５ａは本体部１０１の正面側に突出しており、撮影者が操作時にこのつまみ部５０５ａに指をかけてズームレバー５０５を回転させることで撮影時のズーム倍率を変更する。
【００１８】
また、本体部１０１の背面には、回転操作可能で上下左右に、マクロ撮影選択、ストロボ発光選択、セルフタイマー選択、マニュアルフォーカス選択が割り当てられている操作ボタン５０７、再生モードに切り替える再生ボタン５０８、ＡＦフレームの位置を変更できるＡＦフレーム選択ボタン５０９、測光方式を変更できる測光ボタン５１０、表示ユニット３００の表示内容を変更するディスプレイボタン５１１、デジタルカメラの各種設定を変更するメニューボタン５１２が取り付けられている。
【００１９】
また、表示ユニット３００の表示部３０２にはタッチパネル３０３が重ねて設けられており、物体の接触を検出して検出信号を出力し、この検出信号を制御部１０７によって処理し、デジタルカメラ１００の制御を行う。
【００２０】
撮影を行う際には、撮影レンズ２００を被写体像に向け、撮影レンズ２００を介して取り込んだ撮影画像を本体部１０１内の撮像素子２０１により光電変換し、画像メモリ１０２に取り込む。さらに、撮影画像は表示部３０２に表示される。シャッターボタン５０１が押されると、撮影レンズ２００を介して取り込まれた撮影画像に基づく静止画がＳＤカード等の外部メモリ１０５に記録される。外部メモリ１０５に記録された静止画は、デジタルカメラ１００を再生モードに切り替えることにより、表示部３０２で再生することができる。
【００２１】
ＣＰＵ１０６は、撮像素子２０１で取り込まれた画像信号を圧縮して外部メモリ１０５に記録するための処理や、外部メモリ１０５から読み込まれた画像信号を表示部３０２に再生させるための処理等、記録／再生処理を行っている。このＣＰＵ１０６は各種操作部材の操作に応じて、撮影動作開始の指示を与えたり、撮影と再生のモードの切り換えなどの制御を行う。 また、ＣＰＵ１０６は表示ユニット３００の回動角を検出するセンサ４００及び４０１の検出結果に応じて表示部３０２に表示される画像を切り替えるとともに、タッチパネル３０３の検出信号を処理する制御部１０７を有する。
【００２２】
図４は前にいる人の頭越しに被写体を撮影するために本体部１０１を上方向にかかげて、撮影レンズ２００を被写体に向けて、表示部３０２を確認しながら撮影している様子を表しており、図５は図４により示される撮影の一連の手順の例を示すフローチャート図である。
【００２３】
この時、図１に示すように表示ユニット３００を回動させ、表示部３０２を撮影者から見やすいようにデジタルカメラ１００の下面方向に回動させると、被写体を表示部３０２で確認しながら撮影することができる。この時、撮影者から死角となる本体部１０１の上面に配置された、シャッターボタン５０１、モード変更ダイヤル５０２、露出ダイヤル５０３、ＩＳＯダイヤル５０４、ズームレバー５０５にそれぞれ対応するアイコン７０１、７０２、７０３、７０４、７０５を表示部３０２に撮影画像に重なるようにタッチ操作可能に表示する。ＣＰＵ１０６には主被写体検出手段１０８が搭載されており、被写体像６００の中から主被写体像６０１を検出する。
【００２４】
そして、表示ユニット３００中の主被写体像６０１とは重ならない領域に、アイコン７０１、７０２、７０３、７０４、７０５を表示する。主被写体像６０１とは重ならない領域がアイコン７０１、７０２、７０３、７０４、７０５の表示に十分でない場合には、アイコン７０１、７０２、７０３、７０４、７０５のサイズを小さくしたり、アイコン７０１、７０２、７０３、７０４、７０５の配置を微調整する。
【００２５】
また、各アイコンを表示する位置は対応するシャッターボタン５０１、モード変更ダイヤル５０２、露出ダイヤル５０３、ＩＳＯダイヤル５０４、ズームレバー５０５の相互の位置に準じているため、撮影者が違和感なく操作することができる。さらに、電源ボタン５０６は撮影パラメータとは関係なく、誤操作を防止するため、対応するアイコンを表示部３０２には表示しない。
【００２６】
Ｓ１０１：電源ボタン５０６をオン状態にしてデジタルカメラ１００を起動させる。Ｓ１０２：撮影レンズ２００を介して取り込んだ撮影画像を本体部１０１内の撮像素子２０１により光電変換し、ＣＰＵ１０６により信号処理されて画像データが連続的に取得される。Ｓ１０３：表示部３０２のＢ軸回りの回動角を検出センサ４０１で検出して、回転角が９０°以上の開状態にあるか否かを判定する。Ｓ１０４：表示部３０２のＢ軸回りの回動角が９０°以上の開状態であれば、表示部３０２に取得した被写体像および撮影情報を表示する。
【００２７】
Ｓ１０５：表示部３０２のＢ軸回りの回動角が９０°未満の閉状態であれば、さらに表示部３０２のＡ軸回りの回動角が１８０°の状態にあるか否かを判定する。Ｓ１０６：表示部３０２のＢ軸回りの回動角が９０°以上の開状態であり、さらに表示部３０２のＡ軸回りの回動角が-９０°となり表示部３０２がデジタルカメラ１００の下方向を向いている状態か否かを判定する。Ｓ１０７：表示部３０２のＢ軸回りの回動角が９０°以上の開状態であり、さらに表示部３０２のＡ軸回りの回動角が−９０°となり表示部３０２がデジタルカメラ１００の下方向を向いている状態であれば、主被写体検出手段１０８により被写体像６００の中から主被写体を検出する。
【００２８】
Ｓ１０８：表示ユニット３００中の主被写体像６０１とは重ならない領域に、本体部１０１の上面に設置された操作部材５０１、５０２、５０３、５０４、５０５に対応するアイコン７０１、７０２、７０３、７０４、７０５を表示する。Ｓ１０９：表示部３０２のＢ軸回りの回動角が９０°未満の閉状態であり、さらに表示部３０２のＡ軸回りの回動角が１８０°となり表示部３０２が撮影者から確認できる状態にあるときは、表示部３０２に取得した被写体像および撮影情報を表示する。
【００２９】
Ｓ１１０：表示部３０２のＢ軸回りの回動角が９０°未満の閉状態であり、さらに表示部３０２のＡ軸回りの回動角が１８０°ではなく、表示部３０２が撮影者から確認できない状態にあるときは、表示部３０２には何も表示しない。Ｓ１１１：アイコンあるは操作部材を操作し、撮影パラメータを設定する。撮影アングルの変更や被写体の移動などがあれば、再び表示部３０２の回動角を変更する（Ｓ１０３）。Ｓ１１２：シャッターボタン５０１、あるいはシャッターボタンに対応するアイコン７０１を操作して被写体像６００を撮影する。
【００３０】
これにより、手を上方向に伸ばしてカメラ本体を支えるといった特殊な状況での撮影時においてでも、被写体像６００を表示部３０２で確認しながら、撮影者から死角となる本体上面に配置された操作部材の機能を、タッチパネル３０３を利用したアイコンで代替し、容易に操作することが可能になる。
【００３１】
［実施例２］
図６は本発明の第２の実施形態のデジタルカメラを使用する様子を示した図であり、デジタルカメラ本体を低い位置に配置して被写体に向け、デジタルカメラ本体に対して表示ユニットを開いて上側に回動させて、表示部を撮影者側に向けて撮影している様子を示している。
【００３２】
図７は本発明の第２の実施形態であるデジタルカメラの外観図であり、図７（ａ）は上面図、図７（ｂ）は背面図である。図８は図６により示される撮影の一連の手順の例を示すフローチャート図である。
【００３３】
図６のように背の低い被写体を低い目線で撮影する時、本体部１０１を低い位置に配置して被写体に向け、表示ユニット３００を回動させ、表示部３０２を撮影者から見やすいようにデジタルカメラ１００の上面方向に回動させると、被写体を表示部３０２で確認しながら撮影することができる。この時、図７に示すように撮影者から死角となる本体部１０１の背面に配置された十字ボタン５０７、ＡＦフレーム選択ボタン５０９、測光ボタン５１０にそれぞれ対応するアイコン７０７、７０９、７１０を表示部３０２に撮影画像に重なるようにタッチ操作可能に表示する。
【００３４】
さらに、アイコン７０７、７０９、７１０を半透明に表示することにより、被写体像６０２を確認しながら各アイコン７０７、７０９、７１０を操作することが可能になる。また、各アイコン７０７、７０９、７１０を表示する位置は対応する十字ボタン５０７、ＡＦフレーム選択ボタン５０９、測光ボタン５１０の相互の位置に準じているため、撮影者が違和感なく操作することができる。さらに、再生ボタン５０８、ディスプレイボタン５１１、メニューボタン５１２は撮影パラメータと関係なく、誤操作を防止するため対応するアイコンを表示部３０２には表示しない。
【００３５】
Ｓ２０１：電源ボタン５０６をオン状態にしてデジタルカメラ１００を起動させる。Ｓ２０２：撮影レンズ２００を介して取り込んだ撮影画像を本体部１０１内の撮像素子２０１により光電変換し、ＣＰＵ１０６により信号処理されて画像データが連続的に取得される。Ｓ２０３：表示部３０２のＢ軸回りの回動角を検出センサ４０１で検出して、回転角が９０°以上の開状態にあるか否かを判定する。Ｓ２０４：表示部３０２のＢ軸回りの回動角が９０°以上の開状態であれば、表示部３０２に取得した被写体像および撮影情報を表示する。
【００３６】
Ｓ２０５：表示部３０２のＢ軸回りの回動角が９０°未満の閉状態であれば、さらに表示部３０２のＡ軸回りの回動角が１８０°の状態にあるか否かを判定する。Ｓ２０６：表示部３０２のＢ軸回りの回動角が９０°以上の開状態であり、さらに表示部３０２のＡ軸回りの回動角が＋９０°となり表示部３０２がデジタルカメラ１００の上方向を向いている状態か否かを判定する。Ｓ２０７：表示部３０２のＢ軸回りの回動角が９０°以上の開状態であり、さらに表示部３０２のＡ軸回りの回動角が＋９０°となり表示部３０２がデジタルカメラ１００の上方向を向いている状態であれば、主被写体検出手段１０８により被写体像６０２の中から主被写体を検出する。
【００３７】
Ｓ２０８：表示ユニット３００中の被写体像６０２に対して半透明に、本体部１０１の背面に設置された操作部材５０７、５０９、５１０に対応するアイコン７０７、７０９、７１０を表示する。Ｓ２０９：表示部３０２のＢ軸回りの回動角が９０°未満の閉状態であり、さらに表示部３０２のＡ軸回りの回動角が１８０°となり表示部３０２が撮影者から確認できる状態にあるときは、表示部３０２に取得した被写体像および撮影情報を表示する。Ｓ２１０：表示部３０２のＢ軸回りの回動角が９０°未満の閉状態であり、さらに表示部３０２のＡ軸回りの回動角が１８０°ではなく、表示部３０２が撮影者から確認できない状態にあるときは、表示部３０２には何も表示しない。
【００３８】
Ｓ２１１：アイコンあるは操作部材を操作し、撮影パラメータを設定する。撮影アングルの変更や被写体の移動などがあれば、再び表示部３０２の回動角を変更する（Ｓ２０３）。Ｓ２１２：シャッターボタン５０１、あるいはシャッターボタンに対応するアイコン７０１を操作して被写体像６０２を撮影する。
【００３９】
これにより本体部１０１を低い位置に配置してペットや子供など背の低い被写体を目線を合わせて撮影する時でも被写体像６０２を表示部３０２で確認しながら、撮影者から死角となる本体背面に配置された操作部材の機能を、タッチパネル３０３を利用したアイコンで代替し、容易に操作することが可能になる。
【００４０】
［実施例３］
図９は本発明の第３の実施形態のデジタルカメラを使用する様子を示した図であり、撮影者自身を被写体にして、いわゆる自分撮り撮影をしている様子を示している。図１０は本発明の第３の実施形態であるデジタルカメラの外観図であり、図１０（ａ）は表示部にアイコンが表示されていない場合の正面図、図１０（ｂ）は表示部にアイコンが表示されている場合の正面図である。図１１は図９により示される撮影の一連の手順の例を示すフローチャート図である。
【００４１】
図９のように自分撮りをする時には、表示ユニット３００の表示部３０２をデジタルカメラ１００の正面側に回動させて、撮影者が表示部３０２に表示されている撮影者自身の画像を確認しながら撮影する。この時、タッチパネル３０３によって接触が検出されると、撮影者から死角となる本体部１０１の背面に配置された十字ボタン５０７、ＡＦフレーム選択ボタン５０９、測光ボタン５１０に対応するアイコン７０７、７０９、７１０を表示部３０２に被写体像６０３と共にタッチ操作可能に表示する。
【００４２】
また、各アイコンを表示する位置は対応する十字ボタン５０７、ＡＦフレーム選択ボタン５０９、測光ボタン５１０の相互の位置に準じているため、撮影者が違和感なく操作することができる。さらに、再生ボタン５０８、ディスプレイボタン５１１、メニューボタン５１２は撮影パラメータと関係なく、誤操作を防止するため対応するアイコンを表示部３０２には表示しない。
【００４３】
Ｓ３０１：電源ボタン５０６をオン状態にしてデジタルカメラ１００を起動させる。Ｓ３０２：撮影レンズ２００を介して取り込んだ撮影画像を本体部１０１内の撮像素子２０１により光電変換し、ＣＰＵ１０６により信号処理されて画像データが連続的に取得される。Ｓ３０３：表示部３０２のＢ軸回りの回動角を検出センサ４０１で検出して、回転角が９０°以上の開状態にあるか否かを判定する。Ｓ３０４：表示部３０２のＢ軸回りの回動角が９０°以上の開状態であれば、表示部３０２に取得した被写体像および撮影情報を表示する。
【００４４】
Ｓ３０５：表示部３０２のＢ軸回りの回動角が９０°未満の閉状態であれば、さらに表示部３０２のＡ軸回りの回動角が１８０°の状態にあるか否かを判定する。Ｓ３０６：表示部３０２のＢ軸回りの回動角が９０°以上の開状態であり、さらに表示部３０２のＡ軸回りの回動角が１８０°となり表示部３０２がデジタルカメラ１００の正面方向を向いている状態か否かを判定する。Ｓ３０７：表示部３０２のＢ軸回りの回動角が９０°以上の開状態であり、さらに表示部３０２のＡ軸回りの回動角が１８０°となり表示部３０２がデジタルカメラ１００の正面方向を向いている状態であれば、主被写体検出手段１０８により被写体像６０３の中から主被写体を検出する。
【００４５】
Ｓ３０８：表示ユニット３００中の被写体像６０３とは重ならない領域に、本体部１０１の背面に設置された操作部材５０７、５０９、５１０に対応するアイコン７０７、７０９、７１０を表示する。Ｓ３０９：表示部３０２のＢ軸回りの回動角が９０°未満の閉状態であり、さらに表示部３０２のＡ軸回りの回動角が１８０°となり表示部３０２が撮影者から確認できる状態にあるときは、表示部３０２に取得した被写体像および撮影情報を表示する。
【００４６】
Ｓ３１０：表示部３０２のＢ軸回りの回動角が９０°未満の閉状態であり、さらに表示部３０２のＡ軸回りの回動角が１８０°ではなく、表示部３０２が撮影者から確認できない状態にあるときは、表示部３０２には何も表示しない。Ｓ３１１：アイコンあるは操作部材を操作し、撮影パラメータを設定する。撮影アングルの変更や被写体の移動などがあれば、再び表示部３０２の回動角を変更する（Ｓ３０３）。Ｓ３１２：シャッターボタン５０１、あるいはシャッターボタンに対応するアイコン７０１を操作して被写体像６０３を撮影する。
【００４７】
これにより表示ユニット３００の表示部３０２を本体部１０１の正面側に回動させて自分撮りをする時でも、撮影者が表示部３０２に表示されている撮影者自身の画像を確認しながら、撮影者から死角となる本体背面に配置された操作部材の機能を、タッチパネル３０３を利用したアイコンで代替し、容易に操作することが可能になる。
【符号の説明】
【００４８】
１００  デジタルカメラ、１０１  本体部、１０７  制御部、
１０８  主被写体検出手段、３００  表示ユニット、３０１  ヒンジ、３０２  表示部、
３０３  タッチパネル、４００、４０１  回動角検出センサ、５０１  レリーズボタン、
５０２  モード変更ダイヤル、５０３  露出ダイヤル、５０４  ＩＳＯダイヤル、
５０５  ズームレバー、５０７  十字キボタン、５０９  ＡＦフレーム選択ボタン、
５１０  測光ボタン、６０１  主被写体、７０１  レリーズボタンアイコン、
７０２  モード変更ダイヤルアイコン、７０３  露出ダイヤルアイコン、
７０４  ＩＳＯダイヤルアイコン、７０５  ズームレバーアイコン、
７０７  十字キボタンアイコン、７０９  ＡＦフレーム選択ボタンアイコン、
７１０  測光ボタンアイコン
【図１】
2017085205.tif 000003
【図２】
2017085205.tif 000004
【図３】
2017085205.tif 000005
【図４】
2017085205.tif 000006
【図５】
2017085205.tif 000007
【図６】
2017085205.tif 000008
【図７】
2017085205.tif 000009
【図８】
2017085205.tif 000010
【図９】
2017085205.tif 000011
【図１０】
2017085205.tif 000012
【図１１】
2017085205.tif 000013